(57)【要約】  エレベータシステムにおいては、かごの運転が運転制御部によって制御されている。運転制御部は、乗場に設けられた乗場呼び操作部を介した利用者による乗場呼び登録操作を受けてから、個人認証部によってかご内の特定利用者が個人認証を受けると、個人認証部から受けた登録階情報に基づく登録特定階の中から、乗場呼び登録操作に応じたかごの行先方向に存在する登録特定階を計数し、計数した登録特定階の数が１つであれば、その登録特定階をかごの行先階とした行先階登録を行う。
2008050416.tif 000002
【特許請求の範囲】
【請求項１】
予め個人識別情報を取得した特定利用者が利用可能な複数の特定階を有する建物に適用されるエレベータシステムであって、
かごの運転を制御する運転制御部、
上記かご内に設けられ、特定利用者により個人識別情報が入力されるかご内入力部、
上記かご内入力部から受けた個人識別情報に基づいて、特定利用者の個人認証を行う個人認証部、及び
特定利用者が予め指定した上記特定階である登録特定階の情報を個人識別情報に対応付けて登録階情報として登録可能であり、上記個人認証部から受けた個人識別情報に基づいて、個人認証を受けた特定利用者に対応する登録階情報を抽出する登録情報抽出部
を備え、
上記運転制御部は、乗場からの乗場呼び登録操作に応じてその乗場で上記かごを待機させているときに、上記個人認証部による個人認証を特定利用者が上記かご内で受けると、上記登録情報抽出部から受けた登録階情報に基づく登録特定階の中から、乗場呼び登録操作に応じた上記かごの行先方向に存在する登録特定階を計数し、計数した登録特定階の数が１つであれば、その登録特定階を上記かごの行先階とした行先階登録を行うことを特徴とするエレベータシステム。
【請求項２】
上記運転制御部は、上記かご内に設けられ利用者により操作されるかご操作部を介した上記特定階への行先階登録操作を予め無効に設定しており、上記個人認証部による特定利用者の個人認証に応じて、個人認証を受けた特定利用者に対応する登録特定階への行先階登録操作を許可することを特徴とする請求項１記載のエレベータシステム。
【請求項３】
上記運転制御部は、上記かご内に設けられ利用者により操作されるかご操作部を介した上記特定階への行先階登録操作を予め無効に設定しており、上記個人認証部による特定利用者の個人認証に応じて、全ての上記特定階への行先階登録操作を許可することを特徴とする請求項１記載のエレベータシステム。
【請求項４】
上記建物は、上記特定階に加えて、一般利用者が利用可能な少なくとも１つの一般階をさらに有しており、
上記登録階情報には、登録特定階の情報に加えて、特定利用者が予め指定した上記一般階である登録一般階の情報が含まれており、
上記運転制御部は、乗場からの乗場呼び登録操作に応じてその乗場で上記かごを待機させているときに、上記個人認証部による個人認証を特定利用者が上記かご内で受けると、上記登録情報抽出部から受けた登録階情報の登録特定階及び登録一般階からなる登録階の中から、乗場呼び登録操作に応じた上記かごの行先方向に存在する登録階を計数し、計数した登録階の数が１つであれば、その登録階を上記かごの行先階とした行先階登録を行うことを特徴とする請求項１記載のエレベータシステム。
【請求項５】
上記建物は、上記特定階に加えて、一般利用者が利用可能な少なくとも１つの一般階をさらに有しており、
上記乗場に設けられ、特定利用者により個人識別情報が入力される乗場入力部
をさらに備え、
上記運転制御部は、上記建物の一般階の乗場に配置された乗場呼び操作部を介した乗場呼び登録操作を予め無効に設定しており、上記乗場入力部から受けた個人識別情報に基づいて上記個人認証部が特定利用者の個人認証を行うことにより、上記乗場入力部と同一の乗場に配置された上記乗場呼び操作部を介した乗場呼び登録操作を許可することを特徴とする請求項１記載のエレベータシステム。
【請求項６】
上記建物は、上記特定階に加えて、一般利用者が利用可能な少なくとも１つの一般階をさらに有しており、
上記運転制御部は、上記特定階の乗場に配置された上記乗場呼び操作部からの乗場呼び登録操作を受けると、乗場呼び登録操作に応じた上記かごの昇降方向に存在する上記一般階を計数し、計数された一般階の数が１つであれば、その一般階を上記かごの行先階とした行先階登録を行うことを特徴とする請求項１記載のエレベータシステム。
【請求項７】
上記運転制御部には、個人識別情報、乗場階及び時間帯の少なくともいずれか一つ毎に設定可能な条件であり、上記個人認証部による特定利用者の個人認証に応じた行先階登録を実行するか否かの動作条件の情報を設定可能となっており、
上記運転制御部は、上記動作条件に基づいて、上記個人認証部による特定利用者の個人認証に応じた行先階登録を実行することを特徴とする請求項１記載のエレベータシステム。
【請求項８】
予め個人識別情報を取得した特定利用者が利用可能な複数の特定階を有する建物に適用されるエレベータシステムであって、
かごの運転を制御する運転制御部、
複数の乗場にそれぞれ設けられ、特定利用者により個人識別情報が入力される乗場入力部、及び
上記乗場入力部から受けた個人識別情報に基づいて、特定利用者の個人認証を行うとともに、個人識別情報が入力された乗場階を特定する個人認証部、及び
特定利用者が予め指定した上記特定階である登録特定階の情報を個人識別情報に対応付けて登録階情報として登録可能であり、上記個人認証部から受けた個人識別情報に基づいて、個人認証を受けた特定利用者に対応する登録階情報を抽出する登録情報抽出部
を備え、
上記運転制御部は、上記個人認証部による個人認証を特定利用者が乗場で受けると、上記個人認証部から受けた登録階情報に基づく全ての登録特定階が、上記個人認証部により特定された乗場階の上下のどの方向に存在するかを判別し、全ての登録特定階が上下の一方向のみに存在していれば、特定された乗場階からの上記かごの行先方向を登録特定階が存在する方向とした乗場呼び登録を行うことを特徴とするエレベータシステム。
【請求項９】
上記運転制御部は、上記個人認証部による特定利用者の個人認証に応じた乗場呼び登録を行うと、個人認証を受けた特定利用者に対応する登録特定階の中から、上記かごの行先方向に存在する登録特定階を計数し、計数した登録特定階の数が１つであれば、その登録特定階を上記かごの行先階とした行先階登録を行うことを特徴とする請求項８記載のエレベータシステム。
【請求項１０】
上記運転制御部は、上記かご内の利用者の乗車状況を監視しており、上記かご内に利用者が乗車したことを検出すると、個人認証を受けた特定利用者に対応する登録階の中から、上記かごの行先方向に存在する登録特定階を計数し、計数した登録特定階の数が１つであれば、その登録特定階を上記かごの行先階とした行先階登録を行うことを特徴とする請求項８記載のエレベータシステム。
【請求項１１】
上記運転制御部は、上記かご内に設けられ利用者により操作されるかご操作部を介した上記特定階への行先階登録操作を予め無効に設定しており、かつ上記かご内への利用者の乗車状況を監視しており、上記かご内への利用者の乗車を検出すると、個人認証を受けた特定利用者に対応する登録特定階への行先階登録操作を許可することを特徴とする請求項８記載のエレベータシステム。
【請求項１２】
上記運転制御部は、上記かご内に設けられ利用者により操作されるかご操作部を介した上記特定階への行先階登録操作を予め無効に設定しており、かつ上記かご内への利用者の乗車状況を監視しており、上記かご内への利用者の乗車を検出すると、全ての上記特定階への行先階登録操作を許可することを特徴とする請求項８記載のエレベータシステム。
【請求項１３】
上記運転制御部には、個人識別情報、乗場階及び時間帯の少なくともいずれか一つ毎に設定可能な条件であり、上記個人認証部による特定利用者の個人認証に応じた乗場呼び登録を実行するか否かの動作条件の情報が設定可能となっており、
上記運転制御部は、上記動作条件に基づいて、上記個人認証部による特定利用者の個人認証に応じた乗場呼び登録を実行することを特徴とする請求項８記載のエレベータシステム。
【請求項１４】
一般利用者が利用可能な少なくとも１つの一般階と、予め個人識別情報を取得した特定利用者が利用可能な複数の特定階とを有する建物に適用されるエレベータシステムであって、
かごの運転を制御する運転制御部、
複数の乗場にそれぞれ設けられ、特定利用者により個人識別情報が入力される乗場入力部、及び
上記乗場入力部から受けた個人識別情報に基づいて、特定利用者の個人認証を行うとともに、個人識別情報が入力された乗場階を特定する個人認証部、及び
特定利用者が予め指定した上記一般階と、特定利用者が予め指定した上記特定階である登録特定階とを含めた複数の登録階の情報を個人識別情報に対応付けて登録階情報として登録可能であり、上記個人認証部から受けた個人識別情報に基づいて、個人認証を受けた特定利用者に対応する登録階情報を抽出する登録情報抽出部
を備え、
上記運転制御部は、上記個人認証部による個人認証を特定利用者が乗場で受けると、上記個人認証部から受けた登録階情報に基づく全ての登録階が、上記個人認証部により特定された乗場階の上下のどの方向に存在するかを判別し、全ての登録階が上下の一方向のみに存在していれば、特定された乗場階からの上記かごの行先方向を登録階が存在する方向とした乗場呼び登録を行うことを特徴とするエレベータシステム。
【請求項１５】
上記運転制御部は、上記一般階の乗場に設けられた乗場呼び操作部を介した乗場呼び登録操作を予め無効に設定しており、上記個人認証部が個人認証を行うことにより、上記乗場入力部と同一の乗場に配置された上記乗場呼び操作部を介した乗場呼び登録操作を許可することを特徴とする請求項１４記載のエレベータシステム。
【請求項１６】
上記運転制御部は、上記個人認証部による特定利用者の個人認証に応じた乗場呼び登録を行うと、個人認証を受けた特定利用者に対応する登録階の中から、上記かごの行先方向に存在する登録階を計数し、計数した登録階の数が１つであれば、その登録階を上記かごの行先階とした行先階登録を行うことを特徴とする請求項１４記載のエレベータシステム。
【請求項１７】
上記運転制御部は、上記かご内の利用者の乗車状況を監視しており、上記かご内に利用者が乗車したことを検出すると、個人認証を受けた特定利用者に対応する登録特定階の中から、上記かごの行先方向に存在する登録階を計数し、計数した登録階の数が１つであれば、その登録階を上記かごの行先階とした行先階登録を行うことを特徴とする請求項１４記載のエレベータシステム。
【請求項１８】
上記運転制御部は、上記かご内に設けられ利用者により操作されるかご操作部を介した上記特定階への行先階登録操作を予め無効に設定しており、かつ上記かご内への利用者の乗車状況を監視しており、上記かご内への利用者の乗車を検出すると、個人認証を受けた特定利用者に対応する登録特定階への行先階登録操作を許可することを特徴とする請求項１４記載のエレベータシステム。
【請求項１９】
上記運転制御部は、上記かご内に設けられ利用者により操作されるかご操作部を介した上記特定階への行先階登録操作を予め無効に設定しており、かつ上記かご内への利用者の乗車状況を監視しており、上記かご内への利用者の乗車を検出すると、全ての上記特定階への行先階登録操作を許可することを特徴とする請求項１４記載のエレベータシステム。
【請求項２０】
上記運転制御部には、個人識別情報、乗場階及び時間帯の少なくともいずれか一つ毎に設定可能な条件であり、上記個人認証部による特定利用者の個人認証に応じた乗場呼び登録を実行するか否かの動作条件の情報が設定可能となっており、
上記運転制御部は、上記動作条件に基づいて、上記個人認証部による特定利用者の個人認証に応じた乗場呼び登録を実行することを特徴とする請求項１４記載のエレベータシステム。
【発明の詳細な説明】
【技術分野】
【０００１】
この発明は、例えばホームオートメーションシステムが組み込まれた集合住宅等の建物に適用され、個人認証を受けた特定利用者に所定のエレベータサービスを提供するエレベータシステムに関するものである。
【背景技術】
【０００２】
従来のエレベータの呼び登録装置では、指紋照合により特定利用者の個人認証を行うことによって、個人認証を受けた特定利用者による特定階へのかごの行先階登録操作が許可される（例えば、特許文献１参照）。【０００３】
【特許文献１】特開２００２−２２０１６２号公報
【発明の開示】
【発明が解決しようとする課題】
【０００４】
上記のような従来のエレベータの呼び登録装置では、特定利用者が特定階へ移動するために、指紋照合操作とかごの行先階登録操作との複数の操作を行う必要がある。このため、例えば、特定利用者が特定階に存在する住居に帰宅する際に、その特定利用者が乗降可能な特定階が１つしかない場合であっても、特定利用者は、指紋照合操作及びかごの行先階登録操作を行う必要があり、特定利用者の利便性が低下していた。【０００５】
この発明は、上記のような課題を解決するためになされたものであり、個人認証を受けた特定利用者が特定階へ移動するときの利便性を向上させることができるエレベータシステムを得ることを目的とする。
【課題を解決するための手段】
【０００６】
この発明によるエレベータシステムは、予め個人識別情報を取得した特定利用者が利用可能な複数の特定階を有する建物に適用されるものであって、かごの運転を制御する運転制御部、かご内に設けられ、特定利用者により個人識別情報が入力されるかご内入力部、かご内入力部から受けた個人識別情報に基づいて、特定利用者の個人認証を行う個人認証部、及び特定利用者が予め指定した特定階である登録特定階の情報を個人識別情報に対応付けて登録階情報として登録可能であり、個人認証部から受けた個人識別情報に基づいて、個人認証を受けた特定利用者に対応する登録階情報を抽出する登録情報抽出部を備え、運転制御部は、乗場からの乗場呼び登録操作に応じてその乗場でかごを待機させているときに、個人認証部による個人認証を特定利用者がかご内で受けると、登録情報抽出部から受けた登録階情報に基づく登録特定階の中から、乗場呼び登録操作に応じたかごの行先方向に存在する登録特定階を計数し、計数した登録特定階の数が１つであれば、その登録特定階をかごの行先階とした行先階登録を行うものである。
【図面の簡単な説明】
【０００７】
【図１】この発明の実施の形態１によるエレベータシステムを示すブロック図である。
【図２】図１のエレベータ制御装置を具体的に示すブロック図である。
【図３】図１のエレベータ制御装置の動作を示すフローチャートである。
【図４】この発明の実施の形態２によるエレベータ制御装置の動作を示すフローチャートである。
【図５】この発明の実施の形態３によるエレベータ制御装置の動作を示すフローチャートである。
【図６】この発明の実施の形態４によるエレベータ制御装置の動作の一部を示すフローチャートである。
【図７】この発明の実施の形態４によるエレベータ制御装置の動作の一部を示すフローチャートである。
【図８】この発明の実施の形態５によるエレベータ制御装置の動作を示すフローチャートである。
【図９】この発明の実施の形態６によるエレベータ制御装置の動作を示すフローチャートである。
【図１０】この発明の実施の形態７によるエレベータ制御装置の動作を示すフローチャートである。
【図１１】この発明の実施の形態８によるエレベータ制御装置の動作を示すフローチャートである。
【図１２】この発明の実施の形態９によるエレベータ制御装置の動作を示すフローチャートである。
【図１３】この発明の実施の形態１０によるエレベータ制御装置の動作条件の一例を説明するための説明図である。
【図１４】この発明の実施の形態１０によるエレベータ制御装置の動作条件の他の例を説明するための説明図である。
【図１５】この発明の実施の形態１０によるエレベータ制御装置の動作条件の他の例を説明するための説明図である。
【発明を実施するための最良の形態】
【０００８】
以下、この発明の好適な実施の形態について図面を参照して説明する。
実施の形態１．
図１は、この発明の実施の形態１によるエレベータシステムを示すブロック図である。図において、建物１は、不特定多数の一般利用者が利用可能な一般階と、事前に利用許可を得た利用者である特定利用者が利用可能な複数の特定階とを有している。建物１内には、複数のエレベータ２が設けられている。また、各エレベータ２には、固有の号機番号が割り当てられている。さらに、各エレベータ２は、昇降路内を昇降されるかご３と、かご３の運転を制御する運転制御部としてのエレベータ制御装置４とを有している。【０００９】
各エレベータ２のかご３内には、利用者により操作されるかご内操作部としてのかご内操作盤（かご内行先階呼びボタン）５と、特定利用者により個人識別情報が入力されるかご内入力部としてのかご内照合装置６とが設けられている。かご内操作盤５は、利用者による行先階登録操作をエレベータ制御装置４に伝える。建物１内の各階の複数の乗場には、特定利用者による乗場呼び登録操作を受ける乗場呼び操作部としての乗場操作盤（乗場ボタン）７と、特定利用者により個人識別情報が入力される乗場入力部としての乗場照合装置８とがそれぞれ設けられている。乗場操作盤７は、利用者による乗場登録操作をエレベータ制御装置４に伝える。【００１０】
かご内照合装置６及び乗場照合装置８は、それぞれ個人識別情報読取部（図示せず）を有している。ここで、個人識別情報読取部は、例えば特定利用者が所持する磁気カード及びＩＣカード等のＩＤカードを読み取るＩＤカード読取部である。かご内照合装置６及び乗場照合装置８は、予め利用者の個人識別情報が登録された個人認証装置９に接続されている。【００１１】
個人認証装置９は、かご内照合装置６又は乗場照合装置８から受けた個人識別情報に基づいて、特定利用者の個人認証を行う。また、個人認証装置９は、特定利用者の個人識別情報を受けると、個人識別情報の入力元がどのかご内照合装置６であるか、又はどの乗場照合装置８であるかを判別する。即ち、個人認証装置９は、乗場照合装置８から個人識別情報を受けると、その乗場照合装置８が配置された乗場階を特定する。さらにまた、個人認証装置９は、個人識別情報の入力元を判別することにより、特定利用者による個人識別情報の入力位置を特定するための入力位置特定情報を生成する。【００１２】
ここで、個人識別情報の入力元がかご内照合装置６である場合、個人認証装置９により生成される入力位置特定情報には、エレベータ２の号機番号の情報と、及び個人識別情報の入力元がかご３内であることを示す情報とが含まれている。一方、個人識別情報の入力元が乗場照合装置８である場合、個人認証装置９により生成される入力位置特定情報には、エレベータ２の号機番号の情報と、入力元の乗場照合装置８が設置された乗場階を示す情報とが含まれている。【００１３】
個人認証装置９には、登録情報抽出部としての遠隔制御装置１０が接続されている。個人認証装置９が個人認証を行った特定利用者の個人識別情報と、その特定利用者に対応する入力位置特定情報とは、個人認証装置９から遠隔制御装置１０に送られる。遠隔制御装置１０には、特定利用者が事前に登録した複数の登録階の情報が個人識別情報に対応付けて、登録階情報として予め登録されている。登録階情報には、特定利用者が事前に登録した一般階である登録一般階と、特定利用者が事前に登録した特定階である登録特定階とが含まれている。【００１４】
遠隔制御装置１０は、個人認証装置９から受けた個人識別情報に基づいて、個人認証を受けた特定利用者に対応する登録階情報を抽出する。また、遠隔制御装置１０は、個人認証装置９からの入力位置特定情報に基づくエレベータ２の号機番号のエレベータ制御装置４に、登録階情報及び入力位置特定情報を認証内容情報として送る。即ち、個人認証装置９及び遠隔制御装置１０により個人認証部が構成されている。【００１５】
図２は、図１のエレベータ制御装置４を具体的に示すブロック図である。エレベータ制御装置４は、制御内容解析部４ａ、乗車検出部４ｂ、建物階構成記憶部（一般階・特定階テーブル）４ｃ、制御内容判定部４ｄ及び呼び登録制御部４ｅを有している。制御内容解析部４ａは、遠隔制御装置１０から受けた認証内容情報を解析する。また、制御内容解析部４ａは、認証内容情報を解析することにより、個人認証を受けた特定利用者に対応する登録階情報及び入力位置特定情報の内容を確認する。【００１６】
乗車検出部４ｂは、例えばかご３内に設けられた光電センサ、かご３の荷重を検出する荷重検出装置、及びかご３の床面に設けられた面圧センサ等（図示せず）の出力を監視することにより、かご３内での利用者の乗降を検出する。建物階構成記憶部４ｃには、建物の各階がそれぞれ一般階であるか特定階であるかを示す情報である建物階構成情報が予め登録されている。【００１７】
制御内容判定部４ｄは、制御内容解析部４ａによる解析内容の情報と、建物階構成記憶部４ｃの建物階構成情報と、かご３における利用者の乗車状況と、利用者による行先階登録操作及び乗場呼び登録操作の登録操作とに基づいて、かご３の運転をどのように制御するかを判定する。【００１８】
ここで、制御内容判定部４ｄにより判定されたかご３の制御内容の一例について、具体的に説明する。制御内容判定部４ｄは、乗場操作盤７を介した利用者による乗場呼び登録操作に応じて、操作された乗場操作盤７が配置された乗場階にかご３を待機させる。このときに、制御内容判定部４ｄは、個人認証装置９によってかご３内の特定利用者が個人認証を受けたことを制御内容解析部４ａにより解析されると、個人認証を受けた特定利用者に対応する登録特定階の中から、乗場呼び登録操作に応じたかご３の行先方向に存在する登録特定階を、建物開講制情報に基づいて計数し、その登録特定階の数が１つであれば、その登録特定階をかご３の行先階とした行先階登録を行う。【００１９】
呼び登録制御部４ｅは、制御内容判定部４ｄにより判定された制御内容に基づいて、行先階登録及び乗場呼び登録であるエレベータ呼び登録（エレベータ呼びの自動登録）を行う。また、呼び登録制御部４ｅは、かご内操作盤５を介した利用者による全ての特定階への行先階登録操作を無効にしている。さらに、呼び登録制御部４ｅは、制御内容判定部４ｄにより判定された制御内容に基づいて、かご内操作盤５を介した利用者による登録特定階への行先階登録操作を許可する。【００２０】
ここで、エレベータ制御装置４、個人認証装置９及び遠隔制御装置１０は、演算処理部（ＣＰＵ）、記憶部（ＲＯＭ、ＲＡＭ及びハードディスク等）及び信号入出力部を持ったコンピュータ（図示せず）によりそれぞれ構成することができる。エレベータ制御装置４のコンピュータの記憶部には、制御内容解析部４ａ、乗車検出部４ｂ、制御内容判定部４ｄ及び呼び登録制御部４ｅの機能を実現するためのプログラムが格納されている。個人認証装置９のコンピュータの記憶部には、個人認証装置９の動作を実現するためのプログラムが格納されている。遠隔制御装置１０のコンピュータの記憶部には、遠隔制御装置１０の動作を実現するためのプログラムが格納されている。【００２１】
次に、動作について説明する。ここでは、乗場呼び登録操作応答時のエレベータ制御装置４の動作について説明する。図３は、図１のエレベータ制御装置４の動作を示すフローチャートである。図において、エレベータ制御装置４は、乗場操作盤７を介した利用者による乗場呼び登録を受けたかどうかを確認し、乗場呼び登録を受けるまで待機する（ステップＳ１）。乗場呼び登録を受けると、エレベータ制御装置４は、その乗場の階までかご３を昇降させて、かご３がその階に到着したことを検出すると、かご３を戸開させるとともに、タイマーのリセット及びスタートを行う（ステップＳ２）。【００２２】
そして、エレベータ制御装置４は、特定利用者がかご３内で個人認証を受けたかどうかを確認するとともに（ステップＳ３）、かご内操作盤５を介して利用者による一般階への行先階登録操作を受けたかどうかを確認し（ステップＳ３）、タイマースタート時から所定時間（例えば１５秒）が経過するまで待機する（ステップＳ５）。このときに、エレベータ制御装置４は、特定利用者がかご３内で個人認証を受けたことを確認すると（ステップＳ３のＹＥＳ方向）、個人認証装置９により個人認証された特定利用者に対応する登録特定階への行先階登録操作を許可し（ステップＳ６）、かご３の昇降方向に存在する登録特定階を計数する（ステップＳ７）。そして、エレベータ制御装置４は、計数した登録特定階の数が１であるかどうかを確認する（ステップＳ８）。【００２３】
登録特定階の数が１であれば（ステップＳ８のＹＥＳ方向）、エレベータ制御装置４は、その登録特定階をかご３の行先階とした行先階登録を行い（ステップＳ９）、かご内操作盤５を介した登録特定階への行先階登録操作を無効に設定する（ステップＳ１０）。そして、エレベータ制御装置４は、かご３を戸閉させて、行先階までのかご３の走行を開始する。これにより、乗場呼び登録操作応答時のエレベータ制御装置４の動作が終了となる。【００２４】
一方、登録特定階の数が１でなければ（ステップＳ８のＮＯ方向）、エレベータ制御装置４は、利用者による一般階又は特定階への行先階登録操作を受けたかどうかを確認し（ステップＳ１１）、利用者による行先階登録操作を受けるか、タイマースタート時から所定時間が経過するまで待機する（ステップＳ１２）。そして、エレベータ制御装置４は、かご内操作盤５を介した利用者による行先階登録操作を受けると、利用者の操作による一般階又は特定階をかご３の行先階とした行先階登録を行い（ステップＳ１３）、かご内操作盤５を介した登録特定階への行先階登録操作を無効に設定する（ステップＳ１０）。そして、エレベータ制御装置４は、かご３を戸閉させて、行先階までのかご３の走行を開始する。これにより、乗場呼び登録操作応答時のエレベータ制御装置４の動作が終了となる。【００２５】
また、エレベータ制御装置４は、利用者による行先階登録操作を受けるか、又はタイマースタート時から所定時間が経過したかを確認しているときに、所定時間が経過したことを確認すると（ステップＳ１２のＹＥＳ方向）、かご内操作盤５を介した登録特定階への行先階登録操作を無効に設定し（ステップＳ１４）、かご３を戸閉させて、かご３の運転待機状態となる。これにより、乗場呼び登録操作応答時のエレベータ制御装置４の動作が終了となる。【００２６】
さらに、エレベータ制御装置４は、遠隔制御装置１０から登録特定階情報を受けるか、かご内操作盤５を介して一般階への行先階登録操作を受けるか確認しているときに、一般階への行先階登録操作を受けると（ステップＳ４のＹＥＳ方向）、かご内操作盤５を介した利用者の行先階登録操作による行先階登録を行い（ステップＳ１５）、かご３を戸閉させて、行先階までのかご３の走行を開始する。これにより、乗場呼び登録操作応答時のエレベータ制御装置４の動作が終了となる。【００２７】
さらにまた、エレベータ制御装置４は、遠隔制御装置１０から登録特定階情報を受けるか、かご内操作盤５を介して一般階への行先階登録操作を受けるか、タイマースタート時から所定時間が経過したかを確認しているときに、所定時間が経過したことを確認すると（ステップＳ５のＹＥＳ方向）、かご３を戸閉させて、かご３の運転待機状態となる。これにより、乗場呼び登録操作応答時のエレベータ制御装置４の動作が終了となる。【００２８】
上記のようなエレベータシステムでは、かご３内の特定利用者が個人認証を受けることによって、特定利用者が事前に登録した登録特定階の中から、かご３の行先方向に存在する登録特定階が計数され、計数された登録特定階の数が１つであれば、その登録特定階をかごの行先階とした行先階登録が行われるので、特定利用者の行先登録操作が省略されることにより、個人認証を受けた特定利用者が簡単に登録特定階へ移動することができ、個人認証を受けた特定利用者が特定階へ移動するときの利便性を向上させることができる。【００２９】
また、かご内操作盤５を介した利用者による全ての特定階への行先階登録操作を禁止しており、かご３内の特定利用者が個人認証を受けることによって、特定利用者に対応する登録特定階への行先登録操作が許可されるので、一般利用者の特定階への移動を制限することにより、特定階でのセキュリティ性を向上ことができる。即ち、このようなエレベータシステムは、特定階でのセキュリティ性を維持しつつ、特定利用者の利便性を向上させることができる。【００３０】
実施の形態２．
次に、この発明の実施の形態２について説明する。実施の形態１のエレベータ制御装置４では、個人認証装置９により特定利用者が個人認証を受けることによって、特定利用者によるかご内操作盤５を介した登録特定階への行先階登録操作を許可していたが、実施の形態２のエレベータ制御装置４では、個人認証装置９により特定利用者が個人認証を受けることによって、特定利用者によるかご内操作盤５を介した全ての特定階への行先階登録操作を許可する。他の構成は、実施の形態１と同様である。【００３１】
次に、動作について説明する。実施の形態２のエレベータ制御装置４では、実施の形態１の呼びエレベータ制御装置４が特定利用者の登録階情報を受けて、個人認証装置９により個人認証された特定利用者に対応する登録特定階への行先階登録操作を許可するときの動作（図３に示すステップＳ６）が異なっている。この動作とともに、実施の形態１の呼びエレベータ制御装置４が、登録特定階への行先登録操作を無効にするときの動作（図３に示すステップＳ１０，ステップＳ１４）も異なっており、ここでは実施の形態１との違いについてのみ説明する。【００３２】
図４は、実施の形態２によるエレベータ制御装置４の動作を示すフローチャートである。エレベータ制御装置４は、特定利用者の登録階情報を受けると、かご内操作盤５を介した全ての特定階への行先階登録操作を許可する（ステップＳ２１）。そして、エレベータ制御装置４は、かご３の行先階登録を行うか、又はタイマースタート時から所定時間が経過したことを確認すると、かご内操作盤５を介した行先階登録操作を無効とする（ステップＳ２２，ステップＳ２３）。他の動作は、実施の形態１と同様である。【００３３】
上記のようなエレベータシステムでは、特定利用者によるかご内操作盤５を介した全ての特定階への行先階登録操作を許可するので、特定利用者が事前に登録した登録特定階以外の特定階にも特定利用者が移動することができる。【００３４】
なお、実施の形態１，２のエレベータ制御装置４では、かご３の昇降方向に存在する登録特定階の数を計数して、計数した登録特定階の数が１つであれば、その登録特定階をかご３の行先階とした行先階登録を行っていたが、運転制御部は、かごの昇降方向に存在する登録特定階及び登録一般階の登録階の数を計数して、計数した登録階の数が１つであれば、その登録階をかごの行先階とした行先階登録を行ってもよい。即ち、運転制御部は、かごの昇降方向に存在する一般階をかごの行先階とした行先階登録を行ってもよい。【００３５】
実施の形態３．
次に、この発明の実施の形態３について説明する。実施の形態１，２の呼び登録制御部４ｅでは、全てのかご停止階の乗場操作盤７を介した利用者による乗場呼び登録操作を許可していたが、実施の形態２の呼び登録制御部４ｅでは、一般階の乗場操作盤７を介した利用者による乗場呼び登録操作を予め無効にしている。呼び登録制御部４ｅは、制御内容判定部４ｄにより判定されたかご３の運転内容に基づいて、一般階の乗場操作盤７を介した利用者による乗場呼び登録操作を許可する。他の構成は、実施の形態１又は実施の形態２と同様である。【００３６】
次に、動作について説明する。ここでは、乗場での特定利用者の個人認証に係わるエレベータ制御装置４の動作について説明する。図５は、実施の形態３によるエレベータ制御装置４の乗場呼び登録操作に対する応答時の動作を示すフローチャートである。まず、エレベータ制御装置４は、一般階の乗場で特定利用者が個人認証を受けたかどうかを確認し、個人認証を受けるまで待機する（ステップＳ３１）。特定利用者が個人認証を受けたことを確認すると、エレベータ制御装置４は、その該当の乗場の乗場操作盤７を介した利用者による呼び登録操作を許可するとともに（ステップＳ３２）、タイマーのリセット及びスタートを行う（ステップＳ３３）。【００３７】
そして、エレベータ制御装置４は、該当の乗場操作盤７を介した利用者の乗場呼び登録操作を受けたかどうかを確認するとともに（ステップＳ３４）、タイマースタート時から所定時間が経過したかを確認する（ステップＳ３５）。このときに、エレベータ制御装置４は、該当の乗場操作盤７を介した利用者による乗場呼び登録操作を受けると、その乗場への乗場呼び登録を行い（ステップＳ３６）、該当の乗場操作盤７を介した乗場呼び登録操作を無効に設定する（ステップＳ３７）。これにより、乗場での特定利用者の個人認証に係わるエレベータ制御装置４の動作が終了となる。【００３８】
また、エレベータ制御装置４は、該当の乗場操作盤７を介した乗場呼び登録操作を受けるかどうか、タイマースタート時から所定時間が経過したかを確認しているときに、所定時間が経過したことを確認すると（ステップＳ３５のＹＥＳ方向）、該当の乗場操作盤７を介した乗場呼び登録操作を無効に設定する（ステップＳ３７）。これにより、乗場での特定利用者の個人認証に係わるエレベータ制御装置４の動作が終了となる。【００３９】
上記のようなエレベータシステムでは、一般階に配置された乗場操作盤７を介した乗場呼び登録操作を予め無効として、特定利用者が個人認証を受けることによって、一般階に配置された乗場操作盤７を介した乗場呼び登録操作が許可されるので、一般利用者によるエレベータ２の利用を禁止することにより、エレベータ２のセキュリティ性を向上させることができる。【００４０】
実施の形態４．
次に、この発明の実施の形態４について説明する。実施の形態４の制御内容判定部４ｄは、乗場の特定利用者が個人認証装置９により個人認証を受けたことに応じて、その特定利用者に対応する登録階情報に基づく全ての登録階が、個人認証装置９により特定された乗場階の上下のどの方向に存在するかを、建物階構成情報に基づいて判別する。そして、制御内容判定部４ｄは、特定された乗場階の上下の一方向のみに、全ての登録階が存在していると確認すると、特定された乗場階からのかご３の行先方向を登録階が存在する方向とした乗場呼び登録を行う。他の構成は、実施の形態３と同様である。【００４１】
次に、動作について説明する。ここでは、実施の形態３と同様に、乗場での特定利用者の個人認証に係わるエレベータ制御装置４の動作について説明する。図６は、実施の形態４によるエレベータ制御装置４の動作の一部を示すフローチャートである。まず、エレベータ制御装置４は、一般階の乗場で特定利用者が個人認証を受けたかどうかを確認し、個人認証を受けるまで待機する（ステップＳ４１）。登録階情報を受けると、エレベータ制御装置４は、その該当の乗場の乗場操作盤７を介した利用者による呼び登録操作を許可するとともに（ステップＳ４２）、タイマーのリセット及びスタートを行う（ステップＳ４３）。【００４２】
そして、エレベータ制御装置４は、個人認証を受けた特定利用者に対応する登録階が該当の乗場から上下両方向に存在しているかどうかを確認する（ステップＳ４４）。上下両方向に登録階が存在している場合（ステップＳ４４のＹＥＳ方向）、エレベータ制御装置４は、該当の乗場操作盤７を介した利用者の乗場呼び登録操作を受けたかどうかを確認するとともに（ステップＳ４５）、タイマースタート時から所定時間が経過したかを確認する（ステップＳ４６）。このときに、エレベータ制御装置４は、該当の乗場操作盤７を介した利用者による乗場呼び登録操作を受けると（ステップＳ４５のＹＥＳ方向）、その乗場への乗場呼び登録を行い（ステップＳ４７）、該当の乗場操作盤７を介した乗場呼び登録操作を無効に設定する（ステップＳ４８）。これにより、乗場での特定利用者の個人認証に係わるエレベータ制御装置４の動作が終了となる。【００４３】
また、エレベータ制御装置４は、該当の乗場操作盤７を介した乗場呼び登録操作を受けるかどうか、タイマースタート時から所定時間が経過したかを確認しているときに、所定時間が経過したことを確認すると（ステップＳ４６のＹＥＳ方向）、該当の乗場操作盤７を介した乗場呼び登録操作を無効に設定する（ステップＳ４８）。これにより、乗場での特定利用者の個人認証に係わるエレベータ制御装置４の動作が終了となる。【００４４】
一方、エレベータ制御装置４は、該当の乗場から上下の一方向のみに登録階が存在している場合（ステップＳ４４のＮＯ方向）、該当の乗場階の上方向のみに登録階が存在しているかどうかを確認する（ステップＳ４９）。上方向のみに登録階が存在している場合（ステップＳ４９のＹＥＳ方向）、エレベータ制御装置４は、該当の乗場からのかご３の昇降方向を上方とした行先方向登録と、該当の乗場への乗場呼び登録を行う（ステップＳ５０）。そして、エレベータ制御装置４は、該当の乗場操作盤７を介した乗場呼び登録操作を無効に設定する（ステップＳ４８）。これにより、乗場での特定利用者の個人認証に係わるエレベータ制御装置４の動作が終了となる。【００４５】
また、該当の乗場階の上方向のみに登録階が存在していない、即ち下方向のみに登録階が存在している場合（ステップＳ４９のＮＯ方向）、エレベータ制御装置４は、該当の乗場からのかご３の昇降方向を下方とした行先方向登録と、該当の乗場への乗場呼び登録を行う（ステップＳ５１）。そして、エレベータ制御装置４は、該当の乗場操作盤７を介した乗場呼び登録操作を無効に設定する（ステップＳ４８）。これにより、乗場での特定利用者の個人認証に係わるエレベータ制御装置４の動作が終了となる。【００４６】
次に、乗場呼び登録後にかご３が乗場に到着したときのエレベータ制御装置４の動作について説明する。図７は、実施の形態４によるエレベータ制御装置４の動作の一部を示すフローチャートである。まず、エレベータ制御装置４は、かご３が該当の乗場に到着して戸開したことを検出すると、特定利用者の登録階情報に含まれる登録特定階へのかご内操作盤５を介した行先階登録操作を許可し（ステップＳ６１）、かご３の昇降方向に存在する登録特定階を計数する（ステップＳ６２）。【００４７】
そして、エレベータ制御装置４は、計数した登録特定階の数が１つであるかどうかを確認する（ステップＳ６３）。計数した登録特定階の数が１つである場合、エレベータ制御装置４は、登録特定階をかご３の行先階とした行先階登録を行う（ステップＳ６４）。そして、エレベータ制御装置４は、登録特定階へのかご内操作盤５を介した行先階登録操作を無効にして（ステップＳ６５）、かご３を戸閉させて、登録した行先階までのかご３の運転を開始する。これにより、乗場呼び登録後にかご３が乗場に到着したときのエレベータ制御装置４の動作が終了となる。【００４８】
一方、エレベータ制御装置４は、かご３の昇降予定の方向に存在する登録特定階を計数したときに、計数した登録特定階の数が１つでない場合（ステップＳ６３のＮＯ方向）、特定利用者によりかご内操作盤５を介した行先階登録操作を受けるかどうかを確認し、行先階登録操作を受けるまで待機する（ステップＳ６６）。行先階登録操作を受けると、エレベータ制御装置４は、かご内操作盤５を介した利用者の行先階登録操作による行先階登録を行い（ステップＳ６７）、登録特定階へのかご内操作盤５を介した行先階登録操作を無効にし（ステップＳ６５）、かご３を戸閉させて、登録した行先階までのかご３の運転を開始する。これにより、乗場呼び登録後にかご３が乗場に到着したときのエレベータ制御装置４の動作が終了となる。【００４９】
上記のようなエレベータシステムでは、特定利用者が乗場で個人認証を受けると、その特定利用者に対応する登録階が該当の乗場の上下方向の一方のみに存在していれば、登録階が存在する方向をかご３の行先方向とした行先方向登録と、該当の登録階への乗場呼び登録とがエレベータ制御装置４によって行われるので、特定利用者による乗場呼び登録操作が不要となることにより、特定利用者の利便性を向上させることができる。【００５０】
また、該当の乗場からのかご３の行先方向が登録されたときに、特定利用者に対応する登録特定階の中から、かご３の行先方向に存在する登録特定階の数が１つであれば、その登録特定階をかご３の行先階とした行先階登録が行われるので、特定利用者による乗場呼び登録操作に加えて行先階登録操作も不要となることにより、特定利用者の利便性をさらに向上させることができる。【００５１】
なお、実施の形態４のエレベータ制御装置４では、特定利用者に対応する登録特定階の中から、かご３の行先方向に存在する登録特定階の数が１つであれば、その登録特定階をかご３の行先階とした行先階登録を行っていたが、エレベータ制御装置４は、特定利用者に対応する登録階（登録特定階及び登録一般階）の中から、かご３の行先方向に存在する登録階の数が１つであれば、その登録階をかご３の行先階とした行先階登録を行ってもよい。【００５２】
実施の形態５．
また、実施の形態４のエレベータ制御装置４では、全ての登録階が該当の乗場の上下両方向に存在するかどうかを判断し、全ての登録階が該当の乗場の上下方向の一方にのみ存在していれば、該当の乗場の上方向のみに登録階が存在しているかどうかを判断していたが（図６に示すステップＳ４４，ステップＳ４９）、図８に示すように、エレベータ制御装置４は、全ての登録特定階が該当の乗場の上下両方向に存在するかどうかを判断し、全ての登録特定階が該当の乗場の上下方向の一方にのみ存在していれば、該当の乗場の上方向のみに登録特定階が存在しているかどうかを判断してもよい（ステップＳ７１，ステップＳ７２）。【００５３】
実施の形態６．
さらに、実施の形態４のエレベータ制御装置４では、かご３の戸開を検出すると、特定利用者に対応する登録特定階へのかご内操作盤５を介した行先階登録操作を許可していたが（図７に示すステップＳ６１，ステップＳ６５）、図９に示すように、エレベータ制御装置４は、かご３の戸開を検出すると、全ての特定階へのかご内操作盤５を介した行先階登録操作を許可してもよい（ステップＳ８１，ステップＳ８２）。【００５４】
実施の形態７．
さらにまた、実施の形態４のエレベータ制御装置４では、乗場呼び登録を行った後に、そのまま利用者による登録特定階への行先階登録操作を許可していたが、エレベータ制御装置４は、図１０に示すように、エレベータ制御装置４は、乗場呼び登録を行った後に、かご３内への利用者の乗車を検出したかどうかを確認するとともに（ステップＳ９１）、利用者の乗車を検出するまで待機し、利用者の乗車を検出したこと応じて、実施の形態４のエレベータ制御装置４の図７に示すような動作を行ってもよい。【００５５】
実施の形態８．
また、実施の形態６のエレベータ制御装置４では、乗場呼び登録を行った後に、そのまま利用者による全ての特定階への行先階登録操作を許可していたが、エレベータ制御装置４は、図１１に示すように、エレベータ制御装置４は、乗場呼び登録を行った後に、かご３内への利用者の乗車を検出したかどうかを確認するとともに（ステップＳ１０１）、利用者の乗車を検出するまで待機し、利用者の乗車を検出したこと応じて、実施の形態６のエレベータ制御装置４の図９に示すような動作を行ってもよい。【００５６】
さらに、実施の形態８のエレベータ制御装置４では、特定利用者に対応する登録特定階の中から、かご３の行先方向に存在する登録特定階の数が１つであれば、その登録特定階をかご３の行先階とした行先階登録を行っていたが、エレベータ制御装置４は、特定利用者に対応する登録階（登録特定階及び登録一般階）の中から、かご３の行先方向に存在する登録階の数が１つであれば、その登録階をかご３の行先階とした行先階登録を行ってもよい。【００５７】
実施の形態９．
次に、この発明の実施の形態９について説明する。実施の形態９の制御内容判定部４ｄは、乗場に配置された乗場操作盤７を介した利用者による乗場呼び登録操作を受けると、操作された乗場操作盤７が設置された乗場階が特定階であるかどうかを、建物階構成情報に基づいて判別する。そして、制御内容判定部４ｄは、操作された乗場操作盤７の乗場階が特定階であると判別すると、乗場呼び登録操作に応じたかご３の行先方向に存在する一般階を建物階構成情報に基づいて計数する。計数された一般階の数が１つであれば、その一般階をかご３の行先階とした行先階登録を行う。他の構成は、実施の形態１〜８のいずれかと同様である。【００５８】
次に、特定階の乗場操作盤７を介した利用者による乗場呼び登録操作を受けたときの動作について説明する。図１２は、実施の形態９によるエレベータ制御装置４の動作を示すフローチャートである。まず、エレベータ制御装置４は、特定階に設置された乗場操作盤７を介した利用者による乗場呼び登録操作を受けると、かご３をその乗場まで昇降させて戸開させる。そして、エレベータ制御装置４は、かご３内への利用者の乗車を検出したかどうかを確認し（ステップＳ１１１）、利用者の乗車を検出するまで待機する。【００５９】
そして、エレベータ制御装置４は、利用者の乗車を検出すると、乗場呼び登録操作に応じたかご３の行先方向に存在する一般階を計数し（ステップＳ１１２）、計数した一般階の数が１つであるかどうかを確認する（ステップＳ１１３）。一般階の数が１つである場合、エレベータ制御装置４は、その一般階をかご３の行先階とした行先階登録を行い（ステップＳ１１４）、かご３の昇降を開始する。これにより、特定階の乗場操作盤７を介した乗場呼び登録操作を受けたときのエレベータ制御装置４の動作が終了となる。【００６０】
一方、一般階の数が１つでない場合（ステップＳ１１３のＮＯ方向）、エレベータ制御装置４は、かご内操作盤５を介した利用者による行先階登録操作を受けたかどうかを確認し（ステップＳ１１５）、行先階登録操作を受けるまで待機する。そして、エレベータ制御装置４は、利用者による行先階登録操作を受けると、その操作に応じた行先階登録を行い（ステップＳ１１６）、かご３の昇降を開始する。これにより、特定階の乗場操作盤７を介した乗場呼び登録操作を受けたときのエレベータ制御装置４の動作が終了となる。【００６１】
上記のようなエレベータシステムでは、特定階の乗場操作盤７が利用者により操作されると、その乗場階での乗場呼び登録と一般階への行先階登録とがエレベータ制御装置４によって行われるので、利用者にとって簡単な操作で一般階への利用者の移動が可能となることにより、利用者の利便性をさらに向上させることができる。【００６２】
なお、実施の形態９のエレベータ制御装置４では、特定階での乗場呼び登録操作を受けると、そのままかご３の行先階登録を行っていたが、運転制御部は、特定階での乗場呼び登録操作を受けた後に、その乗場階で利用者がかご内に乗車したことを検出してから、かご３の行先階登録を行ってもよい。【００６３】
実施の形態１０．
次に、この発明の実施の形態１０について説明する。エレベータ制御装置４には、特定利用者の個人認証に応じた乗場呼び登録及び行先階登録のエレベータ呼び登録を実行するか否かの動作条件の情報が予め設定されている。動作条件とは、個人識別情報、乗場階及び時間帯の少なくともいずれか一つ毎に設定可能な条件である。制御内容判定部４ｄは、動作条件に基づいて、乗場呼び登録及び行先階登録の自動登録を実行する。【００６４】
ここで、制御内容判定部４ｄに設定される動作条件の一例について説明する。制御内容判定部４ｄには、図１３に示すように特定の時間帯に対応付けて動作条件（自動登録の有効・無効）が設定されている。特定の時間帯とは、登校時間帯、出勤時間帯、帰宅時間帯及び下校時間帯等の混雑時間帯である。そして、制御内容判定部４ｄは、自動登録が有効に設定された特定の時間帯のみに、乗場呼び登録及び行先階登録の自動登録を実行する。【００６５】
また、制御内容判定部４ｄに設定される動作条件の他の例として、制御内容判定部４ｄには、図１４に示すように個人識別情報としての部屋番号・家族番号に対応付けて、動作条件（自動登録の有効・無効）が登録されている。この場合、自動登録の対象となる家族番号は、身体が不自由な利用者や高齢の利用者等に対応する番号である。そして、制御内容判定部４ｄは、自動登録が有効に設定された家族番号の利用者が乗車したことに応じて、乗場呼び登録及び行先階登録の自動登録を実行する。【００６６】
さらに、制御内容判定部４ｄに設定される動作条件の他の例として、制御内容判定部４ｄには、図１５に示すように、一般階の情報に対応付けて動作条件（自動登録の有効・無効）が設定されている。そして、制御内容判定部４ｄは、自動登録が有効に設定された乗場階（１階；玄関階）で特定利用者の個人認証を行うと、乗場呼び登録及び行先階登録の自動登録を実行する。なお、制御内容判定部４ｄには、図１３〜図１５に示すような動作条件を単独、又は複数の組み合わせで設定されてもよい。他の構成及び動作は、実施の形態１〜９のいずれかと同様である。【００６７】
上記のようなエレベータシステムでは、動作条件に基づいて乗場呼び登録及び行先階登録の自動登録の実行可否が判断されるので、建物１の利用形態、及び特定利用者個々の生活形態（ライフスタイル）に対応したエレベータサービスを特定利用者に提供することができる。【００６８】
なお、この発明のエレベータシステムは、建物に係わる利用者の入退館を管理する入退室管理システムが組み込まれた建物に適用してもよい。即ち、全ての建物階が特定階であっても、この発明のエレベータシステムを適用することができる。【００６９】
また、実施の形態１〜１０では、エレベータ制御装置４は、１つのエレベータ２の運行を制御していたが、この例に限るものではなく、エレベータ制御装置４は、複数のエレベータ２を１つのグループとして、遠隔制御装置１０からの運転制御信号に対応するようにグループ制御を行ってもよい。【００７０】
さらに、実施の形態１〜１０では、複数のエレベータ２によってシステムが構成されていたが、この例に限るものではなく、単数のエレベータによって構成されていてもよい。この場合、運転制御部、個人認証部及び登録情報抽出部が同一のコンピュータによって構成されていてもよい。【００７１】
さらにまた、実施の形態１〜１０では、個人認証装置９及び遠隔制御装置１０のコンピュータがそれぞれ異なるコンピュータによって構成されていたが、個人認証部及び登録情報抽出部は、互いに同一のコンピュータにより構成されていてもよい。【００７２】
また、実施の形態１〜１０では、エレベータ制御装置４が単体のエレベータ２の運行を制御していたが、運転制御部は、複数のエレベータを１つのグループとしてグループ単位での運行制御を行ってもよい。【００７３】
さらに、実施の形態１〜１０では、かご内照合装置６及び乗場照合装置８の個人識別情報読取部にＩＤカード読取部を用いたが、個人識別情報読取部は、例えば特定利用者の指紋、掌紋、及び虹彩等の生体情報（バイオメトリクス情報）を読み取る生体情報読取部を用いてもよい。
【図１】
2008050416.tif 000003
【図２】
2008050416.tif 000004
【図３】
2008050416.tif 000005
【図４】
2008050416.tif 000006
【図５】
2008050416.tif 000007
【図６】
2008050416.tif 000008
【図７】
2008050416.tif 000009
【図８】
2008050416.tif 000010
【図９】
2008050416.tif 000011
【図１０】
2008050416.tif 000012
【図１１】
2008050416.tif 000013
【図１２】
2008050416.tif 000014
【図１３】
2008050416.tif 000015
【図１４】
2008050416.tif 000016
【図１５】
2008050416.tif 000017
【国際調査報告】
2008050416.tif 000018
2008050416.tif 000019
2008050416.tif 000020
2008050416.tif 000021